(57)【要約】【課題】本発明は、映像コンテンツの質を定量的に示す新たな指標を提供することを課題とする。【解決手段】本発明によれば、映像コンテンツのデータを取得する取得部１１と、データに含まれる動画データ及び音声データの少なくとも一方に基づき、映像コンテンツのテンポを算出する算出部１２と、算出部１２が算出したテンポを出力する出力部１３と、を有する解析装置１０が提供される。算出部１２は、例えば、映像コンテンツを単位時間帯毎の複数のグループに分割し、これらグループ毎にテンポを算出することで、映像コンテンツのテンポの時間変化を算出する。【選択図】図２
2018028797.tif 000002
【特許請求の範囲】
【請求項１】
映像コンテンツのデータを取得する取得手段と、
前記データに含まれる動画データ及び音声データの少なくとも一方に基づき、前記映像コンテンツのテンポを算出する算出手段と、
前記算出手段が算出した前記テンポを出力する出力手段と、
を有する解析装置。
【請求項２】
請求項１に記載の解析装置において、
前記算出手段は、前記映像コンテンツを単位時間帯毎の複数のグループに分割し、前記グループ毎に前記テンポを算出することで、前記映像コンテンツの前記テンポの時間変化を算出する解析装置。
【請求項３】
請求項２に記載の解析装置において、
前記単位時間を変更する入力を受付ける受付手段をさらに有する解析装置。
【請求項４】
請求項１から３のいずれか１項に記載の解析装置において、
前記算出手段は、シーンチェンジの回数に基づき、前記テンポを算出する解析装置。
【請求項５】
請求項４に記載の解析装置において、
前記算出手段は、シーンチェンジの回数が多い程、速い前記テンポを算出する解析装置。
【請求項６】
請求項１から５のいずれか１項に記載の解析装置において、
前記算出手段は、パーンの回数及び／又は速さに基づき、前記テンポを算出する解析装置。
【請求項７】
請求項６に記載の解析装置において、
前記算出手段は、パーンの速さが速い程、速い前記テンポを算出する解析装置。
【請求項８】
請求項６又は７に記載の解析装置において、
前記算出手段は、パーンの回数が多い程、速い前記テンポを算出する解析装置。
【請求項９】
請求項１から８のいずれか１項に記載の解析装置において、
前記算出手段は、ズーム倍率変更の回数及び／又は速さに基づき、前記テンポを算出する解析装置。
【請求項１０】
請求項９に記載の解析装置において、
前記算出手段は、ズーム倍率変更の速さが速い程、速い前記テンポを算出する解析装置。
【請求項１１】
請求項９又は１０に記載の解析装置において、
前記算出手段は、ズーム倍率変更の回数が多い程、速い前記テンポを算出する解析装置。
【請求項１２】
請求項１から１１のいずれか１項に記載の解析装置において、
前記算出手段は、発話された音の数に基づき、前記テンポを算出する解析装置。
【請求項１３】
請求項１２に記載の解析装置において、
前記算出手段は、発話された音が多い程、速い前記テンポを算出する解析装置。
【請求項１４】
請求項１から１３のいずれか１項に記載の解析装置において、
前記動画データは、ＶＢＲ（variable bit rate）方式で圧縮されており、
前記算出手段は、ビットレートに基づき、前記テンポを算出する解析装置。
【請求項１５】
請求項１４に記載の解析装置において、
前記算出手段は、前記ビットレートの統計値が大きい程、速い前記テンポを算出する解析装置。
【請求項１６】
請求項１から１５のいずれか１項に記載の解析装置において、
前記算出手段は、複数のパラメータ各々に基づき算出した前記テンポを統合して、前記テンポを算出し、
前記パラメータ各々には重み付け値が設定されており、
前記算出手段は、前記重み付け値を用いて、複数の前記パラメータ各々に基づき算出した前記テンポを統合する解析装置。
【請求項１７】
請求項１６に記載の解析装置において、
前記パラメータ各々の重み付け値は、前記映像コンテンツの属性に応じて異なり、
前記算出手段は、前記映像コンテンツの属性に応じた前記重み付け値を用いて、複数のパラメータ各々に基づき算出した前記テンポを統合する解析装置。
【請求項１８】
請求項１７に記載の解析装置において、
前記映像コンテンツの属性は、ジャンル及び放送時間帯の少なくとも一方を含む解析装置。
【請求項１９】
請求項１から１８のいずれか１項に記載の解析装置において、
前記出力手段は、複数の放送チャンネル各々で放送された前記映像コンテンツの前記テンポの時間変化を並べて表示する解析装置。
【請求項２０】
請求項１から１９のいずれか１項に記載の解析装置において、
前記出力手段は、ある放送チャンネルで放送された前記映像コンテンツの前記テンポの時間変化と、前記映像コンテンツの視聴率の時間変化とを並べて表示する解析装置。
【請求項２１】
コンピュータが、
映像コンテンツのデータを取得する取得工程と、
前記データに含まれる動画データ及び音声データの少なくとも一方に基づき、前記映像コンテンツのテンポを算出する算出工程と、
前記算出工程で算出された前記テンポを出力する出力工程と、
を実行する解析方法。
【請求項２２】
コンピュータを、
映像コンテンツのデータを取得する取得手段、
前記データに含まれる動画データ及び音声データの少なくとも一方に基づき、前記映像コンテンツのテンポを算出する算出手段、
前記算出手段が算出した前記テンポを出力する出力手段、
として機能させるプログラム。
【発明の詳細な説明】
【技術分野】
【０００１】
本発明は、解析装置、解析方法及びプログラムに関する。
【背景技術】
【０００２】
関連する技術が、特許文献１乃至３に開示されている。
【０００３】
特許文献１には、ＴＶ（television）番組や映画などのコンテンツを入力とし、コンテンツに登場する人物等による発話の速度（話速）を求め、求めた話速を表す情報を外部に出力する装置が開示されている。
【０００４】
特許文献２には、入力された音楽信号を解析し、当該音楽信号のテンポ（１分間あたりの４分音符数）を算出する装置が開示されている。
【０００５】
特許文献３には、映像信号を解析してシーンの切り替わりやカットの切り替わりを検出し、これらのインデックスを作成する装置が開示されている。
【先行技術文献】
【特許文献】
【０００６】
【特許文献１】特開２００７−２１３１７６号公報
【特許文献２】特開２００２−１１６７５４号公報
【特許文献３】特開平９−１６１４５５号公報
【発明の概要】
【発明が解決しようとする課題】
【０００７】
テレビ番組や映画などの映像コンテンツの質を定量的に示す新たな指標が望まれている。当該指標が得られれば、論理的な思考に基づき、映像コンテンツを作成することが可能となる。結果、良質な映像コンテンツをコンスタントに作成すること等が期待される。特許文献１乃至３はいずれも、このような指標を提供するものでない。
【０００８】
本発明は、映像コンテンツの質を定量的に示す新たな指標を提供することを課題とする。
【課題を解決するための手段】
【０００９】
本発明によれば、
映像コンテンツのデータを取得する取得手段と、
前記データに含まれる動画データ及び音声データの少なくとも一方に基づき、前記映像コンテンツのテンポを算出する算出手段と、
前記算出手段が算出した前記テンポを出力する出力手段と、
を有する解析装置が提供される。
【００１０】
また、本発明によれば、
コンピュータが、
映像コンテンツのデータを取得する取得工程と、
前記データに含まれる動画データ及び音声データの少なくとも一方に基づき、前記映像コンテンツのテンポを算出する算出工程と、
前記算出工程で算出された前記テンポを出力する出力工程と、
を実行する解析方法が提供される。
【００１１】
また、本発明によれば、
コンピュータを、
映像コンテンツのデータを取得する取得手段、
前記データに含まれる動画データ及び音声データの少なくとも一方に基づき、前記映像コンテンツのテンポを算出する算出手段、
前記算出手段が算出した前記テンポを出力する出力手段、
として機能させるプログラムが提供される。
【発明の効果】
【００１２】
本発明によれば、映像コンテンツの質を定量的に示す新たな指標を提供することができる。
【図面の簡単な説明】
【００１３】
【図１】本実施形態の装置のハードウエア構成の一例を概念的に示す図である。
【図２】本実施形態の解析装置の機能ブロック図の一例である。
【図３】本実施形態の解析装置の機能ブロック図の一例である。
【図４】本実施形態の算出部の処理の一例を説明するための図である。
【図５】本実施形態の算出部の処理の一例を説明するための図である。
【図６】本実施形態の算出部の処理の一例を説明するための図である。
【図７】本実施形態の算出部が処理に用いる情報の一例を模式的に示す図である。
【図８】本実施形態の算出部が処理に用いる情報の一例を模式的に示す図である。
【図９】本実施形態の出力部が出力する情報の一例を模式的に示す図である。
【図１０】本実施形態の出力部が出力する情報の一例を模式的に示す図である。
【図１１】本実施形態の出力部が出力する情報の一例を模式的に示す図である。
【図１２】本実施形態の出力部が出力する情報の一例を模式的に示す図である。
【図１３】本実施形態の出力部が出力する情報の一例を模式的に示す図である。
【図１４】本実施形態の解析装置の処理の流れの一例を示すフローチャートである。
【発明を実施するための形態】
【００１４】
まず、本実施形態の概要を説明する。本実施形態の解析装置は、映像コンテンツのデータを取得すると、当該データに含まれる動画データ及び音声データの少なくとも一方に基づき、映像コンテンツのテンポを算出する。
【００１５】
例えば、シーンチェンジの頻度、パーンの頻度、パーンの速さ、ズーム倍率変更の頻度、ズーム倍率変更の速さ、発せられた音の数、ＶＢＲ（variable bit rate）方式で圧縮されている動画データのビットレート等の中の少なくとも１つに基づき、映像コンテンツのテンポを算出する。そして、算出したテンポを出力する。
【００１６】
本実施形態によれば、映像コンテンツの質を定量的に示す新たな指標として、映像コンテンツのテンポを提供することができる。
【００１７】
次に、本実施形態の解析装置のハードウエア構成の一例について説明する。本実施形態の解析装置が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００１８】
図１は、本実施形態の解析装置のハードウエア構成を例示するブロック図である。図１に示すように、解析装置は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａを有さなくてもよい。
【００１９】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２０】
次に、本実施形態の解析装置の機能について詳細に説明する。図２に、本実施形態の解析装置１０の機能ブロック図の一例を示す。図示するように、解析装置１０は、取得部１１と、算出部１２と、出力部１３とを有する。図３に、本実施形態の解析装置１０の機能ブロック図の他の一例を示す。図示する例では、解析装置１０は、取得部１１と、算出部１２と、出力部１３と、受付部１４とを有する。
【００２１】
なお、機能ブロック図は、ハードウエア単位の構成ではなく、機能単位のブロックを示している。当該図において、解析装置１０は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。以下、各機能部について詳細に説明する。
【００２２】
受付部１４は、各種入力装置を介して、オペレータからの各種入力を受付ける。入力装置は、キーボード、マウス、タッチパネルディスプレイ、キーボタン、タッチパッド、カメラ、マイク等が例示されるが、これらに限定されない。
【００２３】
取得部１１は、映像コンテンツのデータを取得する。映像コンテンツのデータは、動画データと音声データとを含む。映像コンテンツの詳細は特段制限されず、例えば、ＴＶ放送されるＴＶ番組、インターネット放送されるネット番組、映画、ユーザが自作した映像コンテンツ等が例示される。
【００２４】
取得部１１は、オペレータが指定した映像コンテンツを取得することができる。オペレータは、解析装置１０を操作して、所定の記憶装置に記憶されている所定の映像コンテンツを指定する。そして、取得部１１は、指定された映像コンテンツのデータを上記記憶装置から取得する。上記記憶装置は、解析装置１０内に備えられてもよいし、解析装置１０と通信可能に構成された外部装置内に備えられてもよい。
【００２５】
算出部１２は、映像コンテンツのデータに含まれる動画データ及び音声データの少なくとも一方に基づき、当該映像コンテンツのテンポを算出する。
【００２６】
算出部１２は、映像コンテンツを単位時間帯毎の複数のグループに分割し、グループ毎にテンポを算出することができる。これにより、映像コンテンツのテンポの時間変化が算出される。単位時間は固定値（設計的事項）であり、予め算出部１２に与えられていてもよい。その他、単位時間は可変値であってもよい。この場合、受付部１４は、単位時間を変更する入力をオペレータから受付けてもよい。グループ分けの手法は設計的事項である。
【００２７】
その他、算出部１２は、映像コンテンツ全体のテンポ（平均テンポ）を算出することもできる。
【００２８】
ここで、算出部１２がテンポを算出する処理例を説明する。
【００２９】
（処理例１）算出部１２は、シーンチェンジの回数（頻度）に基づき、映像コンテンツのテンポを算出することができる。
【００３０】
ここで、上記グループ各々におけるシーンチェンジの回数をＮｍ（ｍはグループ番号）、映像コンテンツのテンポをＴ１ｍとする。Ｔ１ｍの値が大きい程、速いテンポを表すものとする。
【００３１】
処理例１では、Ｎｍ及びＴ１ｍの関係が、「Ｎｍが大きい程Ｔ１ｍが大きくなる」を満たす。Ｔ１ｍの算出式としては、例えば、Ｔ１ｍ＝Ｎｍ、Ｔ１ｍ＝Ｎｍ／ｔ等が例示されるが、これらに限定されない（ｔは上記単位時間より小さい値。例：１０秒、１５秒、３０秒、１分、３分、５分等）。
【００３２】
算出部１２は、動画データを解析し、上記グループ毎にシーンチェンジの回数をカウントすることで、Ｎｍを得る。そして、算出部１２は、予め定められた算出式に基づき、Ｔ１ｍを算出する。また、複数のグループのテンポの平均を求めることで、映像コンテンツ全体のテンポを算出することができる。動画データを解析してシーンチェンジを検出する手法は特段制限されず、あらゆる技術を採用できる。
【００３３】
（処理例２）算出部１２は、パーンの回数及び／又は速さに基づき、映像コンテンツのテンポを算出することができる。
【００３４】
パーンは、撮影技法の１つであり、カメラの向きを左右や上下に振ることである。パーンの速さは、カメラの向きを振る速さである。
【００３５】
ここで、上記グループ各々におけるパーンの回数をＬｍ（ｍはグループ番号）、パーンの速さをＰｍ、映像コンテンツのテンポをＴ２ｍとする。Ｔ２ｍの値が大きい程、速いテンポを表すものとする。Ｌｍが１の場合は、その１回のパーンの速さをＰｍとすることができる。Ｌｍが２以上の場合は、複数回のパーンの速さの統計値（例：平均値、最大値、最小値、中央値、最頻値等）をＰｍとすることができる。
【００３６】
処理例２では、Ｌｍ、Ｐｍ及びＴ２ｍの関係が、「Ｌｍが大きい程Ｔ２ｍが大きくなる」及び「Ｐｍが大きい程Ｔ２ｍが大きくなる」の少なくとも一方を満たす。Ｔ２ｍの算出式としては、例えば、Ｔ２ｍ＝Ｌｍ、Ｔ２ｍ＝Ｐｍ、Ｔ２ｍ＝α１・Ｌｍ＋α２・Ｐｍ、Ｔ２ｍ＝Ｌｍ×Ｐｍ等が例示されるが、これらに限定されない（α１及びα２は、各々、Ｌｍ及びＰｍの重み付け値。いずれも、０より大きい値。）。
【００３７】
算出部１２は、動画データを解析し、Ｌｍ及び／又はＰｍを得る。そして、算出部１２は、予め定められた算出式に基づき、Ｔ２ｍを算出する。また、複数のグループのテンポの平均を求めることで、映像コンテンツ全体のテンポを算出することができる。
【００３８】
動画データを解析してＬｍやＰｍを得る手法は特段制限されず、あらゆる技術を採用できる。以下、一例を説明する。
【００３９】
例えば、算出部１２は、図４に示すように、第１のフレームＦ１内の予め定められた位置の複数の点（図の場合、点Ａ乃至Ｄの４点）各々の画素データ（色、輝度情報等）を取得する。各点は１つの画素に対応してもよいし、複数の画素に対応してもよい。後者の場合、複数の画素の画素データの統計値（例：平均値等）が、各点の画素データとして取得される。
【００４０】
そして、算出部１２は、図５に示すように、第１のフレームＦ１の次のフレームである第２のフレームＦ２内における「点Ａ乃至Ｄの相対的な位置関係を満たす４つの点群（当該４つの点群を結ぶ四角形は、点Ａ乃至Ｄを結ぶ四角形と同じ形状及び大きさ）」の中から、各点の画素データが第１のフレームＦ１から取得した点Ａ乃至Ｄの画素データと一致する点Ａ´乃至Ｄ´を探す。
【００４１】
点Ａ´乃至Ｄ´が存在しない場合、算出部１２は当該フレーム間でパーンは存在しないと判断する。一方、点Ａ´乃至Ｄ´が存在する場合、算出部１２は当該フレーム間でパーンが存在すると判断する。そして、算出部１２は、対応する点間の距離（例：点Ａと点Ａ´との間の距離）を、当該フレーム間でのパーン距離として算出する。
【００４２】
その後、算出部１２は、処理対象のフレームをずらして、同様の処理を行う。すなわち、算出部１２は、第２のフレームＦ２内の予め定められた位置の複数の点（ここでは、点Ａ乃至Ｄの４点）各々の画素データ（色、輝度情報等）を取得する。そして、第２のフレームＦ２の次のフレームである第３のフレームＦ３から、上記と同様にして、点Ａ´乃至Ｄ´を探す。
【００４３】
算出部１２は、上記処理を繰り返すことで、パーン開始フレームＦｓｐ及びパーン終了フレームＦｆｐを特定する。そして、算出部１２は、ＦｓｐからＦｆｐまでを１回のパーンとして、Ｌｍをカウントすることができる。また、算出部１２は、「ＦｓｐからＦｆｐまでにおけるパーン距離の合計」を「ＦｓｐからＦｆｐまでの時間」で割った値を、１回のパーンの速さとして算出することができる。
【００４４】
（処理例３）算出部１２は、ズーム倍率変更の回数及び／又は速さに基づき、映像コンテンツのテンポを算出することができる。
【００４５】
ここでのズーム倍率変更は、「ズーム倍率大から小への変更」であってもよいし、「ズーム倍率小から大への変更」であってもよいし、これら両方を含む概念であってもよい。
【００４６】
ここで、上記グループ各々におけるズーム倍率変更の回数をＱｍ（ｍはグループ番号）、ズーム倍率変更の速さをＲｍ、映像コンテンツのテンポをＴ３ｍとする。Ｔ３ｍの値が大きい程、速いテンポを表すものとする。Ｑｍが１の場合は、その１回のズーム倍率変更の速さをＲｍとすることができる。Ｑｍが２以上の場合は、複数回のズーム倍率変更の速さの統計値（例：平均値、最大値、最小値、中央値、最頻値等）をＲｍとすることができる。
【００４７】
処理例３では、Ｑｍ、Ｒｍ及びＴ３ｍの関係が、「Ｑｍが大きい程Ｔ３ｍが大きくなる」及び「Ｒｍが大きい程Ｔ３ｍが大きくなる」の少なくとも一方を満たす。Ｔ３ｍの算出式としては、例えば、Ｔ３ｍ＝Ｑｍ、Ｔ３ｍ＝Ｒｍ、Ｔ３ｍ＝α３・Ｑｍ＋α４・Ｒｍ、Ｔ３ｍ＝Ｑｍ×Ｒｍ等が例示されるが、これらに限定されない（α３及びα４は、各々、Ｑｍ及びＲｍの重み付け値。いずれも、０より大きい値。）
【００４８】
算出部１２は、動画データを解析し、Ｑｍ及び／又はＲｍを得る。そして、算出部１２は、予め定められた算出式に基づき、Ｔ３ｍを算出する。また、複数のグループのテンポの平均を求めることで、映像コンテンツ全体のテンポを算出することができる。
【００４９】
動画データを解析してＱｍやＲｍを得る手法は特段制限されず、あらゆる技術を採用できる。以下、一例を説明する。
【００５０】
例えば、算出部１２は、図４に示すように、第１のフレームＦ１内の予め定められた位置の複数の点（図の場合、点Ａ乃至Ｄの４点）各々の画素データ（色、輝度情報等）を取得する。各点は１つの画素に対応してもよいし、複数の画素に対応してもよい。後者の場合、複数の画素の画素データの統計値（例：平均値等）が、各点の画素データとして取得される。
【００５１】
そして、算出部１２は、図６に示すように、第１のフレームＦ１の次のフレームである第２のフレームＦ２内における「点Ａ乃至Ｄを結ぶ四角形と相似な四角形の４つの頂点」の中から、各点の画素データが第１のフレームＦ１から取得した点Ａ乃至Ｄの画素データと一致する点Ａ´乃至Ｄ´を探す。
【００５２】
点Ａ´乃至Ｄ´が存在しない場合、算出部１２は当該フレーム間でズーム倍率変更は存在しないと判断する。一方、点Ａ´乃至Ｄ´が存在する場合、算出部１２は当該フレーム間でズーム倍率変更が存在すると判断する。そして、算出部１２は、対応する点間の距離（例：点Ａと点Ａ´との間の距離）を、当該フレーム間でのズーム倍率変更量として算出する。
【００５３】
その後、算出部１２は、処理対象のフレームをずらして、同様の処理を行う。すなわち、算出部１２は、第２のフレームＦ２内の予め定められた位置の複数の点（ここでは、点Ａ乃至Ｄの４点）各々の画素データ（色、輝度情報等）を取得する。そして、第２のフレームＦ２の次のフレームである第３のフレームＦ３から、上記と同様にして、点Ａ´乃至Ｄ´を探す。
【００５４】
算出部１２は、上記処理を繰り返すことで、ズーム倍率変更開始フレームＦｓｚ及びズーム倍率変更終了フレームＦｆｚを特定する。そして、算出部１２は、ＦｓｚからＦｆｚまでを１回のズーム倍率変更として、Ｑｍをカウントすることができる。また、算出部１２は、「ＦｓｚからＦｆｚまでにおけるズーム倍率変更量の合計」を「ＦｓｚからＦｆｚまでの時間」で割った値を、１回のズーム倍率変更の速さとして算出することができる。
【００５５】
（処理例４）算出部１２は、パーンの回数及び／又は速さと、ズーム倍率変更の回数及び／又は速さとに基づき、映像コンテンツのテンポを算出することができる。
【００５６】
ここで、上記グループ各々における映像コンテンツのテンポをＴ４ｍ（ｍはグループ番号）とする。Ｔ４ｍの値が大きい程、速いテンポを表すものとする。
【００５７】
算出部１２は、処理例２で説明した手法で、パーンの回数及び／又は速さに基づいた映像コンテンツのテンポＴ２ｍを算出する。また、算出部１２は、処理例３で説明した手法で、ズーム倍率変更の回数及び／又は速さに基づいた映像コンテンツのテンポＴ３ｍを算出する。そして、算出部１２は、テンポＴ２ｍ及びテンポＴ３ｍに基づき、テンポＴ４ｍを算出する。
【００５８】
Ｔ２ｍ、Ｔ３ｍ及びＴ４ｍの関係は、「Ｔ２ｍが大きい程Ｔ４ｍが大きくなる」及び「Ｔ３ｍが大きい程Ｔ４ｍが大きくなる」を満たす。Ｔ４ｍの算出式としては、例えば、Ｔ４ｍ＝β１・Ｔ２ｍ＋β２・Ｔ３ｍ、Ｔ４ｍ＝Ｔ２ｍ×Ｔ３ｍ等が例示されるが、これらに限定されない（β１及びβ２は、各々、Ｔ２ｍ及びＴ３ｍの重み付け値。いずれも、０より大きい値。）。また、複数のグループのテンポの平均を求めることで、映像コンテンツ全体のテンポを算出することができる。
【００５９】
（処理例５）算出部１２は、シーンチェンジの回数（頻度）と、パーンの回数及び／又は速さと、ズーム倍率変更の回数及び／又は速さとに基づき、映像コンテンツのテンポを算出することができる。
【００６０】
ここで、上記グループ各々における映像コンテンツのテンポをＴ５ｍ（ｍはグループ番号）とする。Ｔ５ｍの値が大きい程、速いテンポを表すものとする。
【００６１】
算出部１２は、処理例１で説明した手法で、シーンチェンジの回数に基づいた映像コンテンツのテンポＴ１ｍを算出する。また、算出部１２は、処理例２で説明した手法で、パーンの回数及び／又は速さに基づいた映像コンテンツのテンポＴ２ｍを算出する。また、算出部１２は、処理例３で説明した手法で、ズーム倍率変更の回数及び／又は速さに基づいた映像コンテンツのテンポＴ３ｍを算出する。そして、算出部１２は、テンポＴ１ｍ、テンポＴ２ｍ及びテンポＴ３ｍに基づき、テンポＴ５ｍを算出する。
【００６２】
Ｔ１ｍ、Ｔ２ｍ、Ｔ３ｍ及びＴ５ｍの関係は、「Ｔ１ｍが大きい程Ｔ５ｍが大きくなる」、「Ｔ２ｍが大きい程Ｔ５ｍが大きくなる」及び「Ｔ３ｍが大きい程Ｔ５ｍが大きくなる」を満たす。Ｔ５ｍの算出式としては、例えば、Ｔ５ｍ＝β３・Ｔ１ｍ＋β４・Ｔ２ｍ＋β５・Ｔ３ｍ、Ｔ５ｍ＝Ｔ１ｍ×Ｔ２ｍ×Ｔ３ｍ等が例示されるが、これらに限定されない（β３乃至β５は、各々、Ｔ１ｍ乃至Ｔ３ｍの重み付け値。いずれも、０より大きい値。）。
また、複数のグループのテンポの平均を求めることで、映像コンテンツ全体のテンポを算出することができる。
【００６３】
（処理例６）算出部１２は、発話された音の数に基づき、テンポを算出することができる。
【００６４】
ここで、上記グループ各々における音の数をＳｍ（ｍはグループ番号）、映像コンテンツのテンポをＴ６ｍとする。Ｔ６ｍの値が大きい程、速いテンポを表すものとする。
【００６５】
処理例６では、Ｓｍ及びＴ６ｍの関係が、「Ｓｍが大きい程Ｔ６ｍが大きくなる」を満たす。Ｔ６ｍの算出式としては、例えば、Ｔ６ｍ＝Ｓｍ、Ｔ６ｍ＝Ｓｍ／ｔ等が例示されるが、これらに限定されない（ｔは上記単位時間。）。
【００６６】
算出部１２は、動画データを解析し、上記グループ毎に発話された音の数をカウントすることで、Ｓｍを得る。発話内容が「なんてことだ！」である場合、音の数は「６」となる。そして、算出部１２は、予め定められた算出式に基づき、Ｔ６ｍを算出する。また、複数のグループのテンポの平均を求めることで、映像コンテンツ全体のテンポを算出することができる。動画データを解析して発話された音の数を算出する手法は特段制限されず、あらゆる技術を採用できる。
【００６７】
例えば、音声認識技術で発話内容を文字列に変換した後、文字列に含まれる文字の数をカウントすることで、発話された音の数を算出してもよい。なお、当該処理例では音の数を得られれば良く、発話内容の特定は不要である。このため、例えば、音声認識技術で発話内容を母音の文字列に変換した後、文字列に含まれる文字の数をカウントすることで、発話された音の数を算出してもよい。
【００６８】
なお、Ｔ６ｍ＝Ｓｍ／ｔの式で算出されるテンポと、特許文献１に開示の技術で算出される話速とは、異なる概念である。特許文献１の場合、発話された音の数を発話開始時点から発話終了時点までの時間で割ることで、話速を算出する。一方、当該算出式によれば、テンポＴ６ｍは、一定の単位時間毎の音の数を当該単位時間で割ることで算出される。単位時間を１分と定めた場合、１分毎の音の数をカウントし、音の数を１分で割ることでテンポＴ６ｍが算出されることとなる。
【００６９】
例えば、単位時間１分の間に発話時間２秒で「なんてことだ！」という発話内容のみが発話された場合、Ｔ６ｍ＝６／１分＝６／６０秒となる。一方、特許文献１の場合、話速＝６／２秒となる。これらの結果から、これらの概念が異なることは明らかである。
【００７０】
（処理例７）算出部１２は、ＶＢＲ方式で圧縮されている動画データのビットレートに基づき、テンポを算出することができる。
【００７１】
ここで、上記グループ各々における映像コンテンツのテンポをＴ７ｍ（ｍはグループ番号）とする。Ｔ７ｍの値が大きい程、速いテンポを表すものとする。
【００７２】
算出部１２は、各フレームのビットレートを得る。そして、上記グループ毎に、各グループに含まれる複数のフレームのビットレート（ｂｐｓ）の統計値Ｖｍ（例：平均値、最大値、最小値、中央値、最頻値等）を算出する。
【００７３】
処理例７では、Ｖｍ及びＴ７ｍの関係が、「Ｖｍが大きい程Ｔ７ｍが大きくなる」を満たす。Ｔ７ｍの算出式としては、例えば、Ｔ７ｍ＝Ｖｍ等が例示されるが、これらに限定されない。
【００７４】
算出部１２は、動画データを解析し、各フレームのビットレートを取得してもよい。その他、算出部１２は、外部装置が動画データを解析して算出した各フレームのビットレートを取得してもよい。そして、算出部１２は、取得した各フレームのビットレートに基づきＶｍを算出した後、予め定められた算出式に基づきＴ７ｍを算出することができる。また、複数のグループのテンポの平均を求めることで、映像コンテンツ全体のテンポを算出することができる。動画データを解析して各フレームのビットレートを算出する手法は特段制限されず、あらゆる技術を採用できる。
【００７５】
（処理例８）算出部１２は、処理例１乃至７で算出したテンポＴ１ｍ乃至Ｔ７ｍの中の少なくとも２つに基づき、テンポＴ８ｍを算出することができる。すなわち、算出部１２は、複数のパラメータ（シーンチェンジの回数、パーンの回数及び／又は速さ、ズーム倍率変更の回数及び／又は速さ、発話された音の数、ビットレート等）各々に基づき算出したテンポを統合して、テンポを算出することができる。以下、テンポＴ１ｍ乃至Ｔ７ｍの中の、当該処理例のテンポの算出に利用されるものを、処理対象テンポという場合がある。Ｔ８ｍの値が大きい程、速いテンポを表すものとする。
【００７６】
Ｔ８ｍ及び処理対象テンポの関係は、「処理対象テンポが大きい程Ｔ８ｍが大きくなる」満たす。例えば、「処理対象テンポに含まれる少なくとも２つのテンポに、各々に対応した所定の係数γｈ（ｈは処理対象テンポの通番。γｈは重み付け値。０より大きい値。）を掛けた値を足し合わせた値」を、Ｔ８としてもよい。その他、「処理対象テンポに含まれる少なくとも２つのテンポを互いに掛け合わせた値」を、Ｔ８ｍとしてもよい。また、複数のグループのテンポの平均を求めることで、映像コンテンツ全体のテンポを算出することができる。
【００７７】
（処理例９）算出部１２は、処理例８で説明した手法で、テンポＴ８ｍを算出する。
【００７８】
当該処理例では、所定の係数γｈが可変であり、映像コンテンツの属性に応じてその値が定まる。すなわち、算出部１２は、映像コンテンツの属性に応じて、所定の係数γｈを決定する。そして、算出部１２は、決定した係数γｈに基づき、テンポＴ８ｍを算出する。映像コンテンツの属性は、ジャンル及び放送時間帯の少なくとも一方を含む。ジャンルは、スポーツ、ドラマ、ニュース等であるが、さらに細分化してもよい。例えば、スポーツは、野球、サッカー、ボクシング等のように種類で細分化してもよい。また、ドラマは、アクションドラマ、サスペンス等のように内容に応じて細分化してもよい。
【００７９】
例えば、算出部１２は、図７に示すような対応情報を用いて、係数γｈを決定してもよい。図７に示す例は、テンポＴ５ｍ乃至Ｔ７ｍに基づきテンポＴ８ｍを算出する場合の対応情報である。映像コンテンツのジャンルごとに、テンポＴ５ｍ乃至Ｔ７ｍ各々の係数γが定められている。
【００８０】
図８に、対応情報の他の例を示す。算出部１２は、図８に示すような対応情報を用いて、係数γｈを決定してもよい。図８に示す例は、テンポＴ５ｍ乃至Ｔ７ｍに基づきテンポＴ８ｍを算出する場合の対応情報である。映像コンテンツの放送時間帯ごとに、テンポＴ５ｍ乃至Ｔ７ｍ各々の係数γｈが定められている。
【００８１】
なお、図示しないが、算出部１２は、同様の対応情報を用いて、ジャンル及び放送時間帯の両方に基づき係数γｈを決定してもよい。
【００８２】
複数のグループのテンポの平均を求めることで、映像コンテンツ全体のテンポを算出することができる。
【００８３】
映像コンテンツのジャンル及び放送時間帯を示す情報は、例えば、映像コンテンツのデータに含まれていても（例：メタデータ等）。その他、オペレータがこれらの情報を解析装置１０に入力してもよい。例えば、受付部１４が当該情報の入力を受付けてもよい。
【００８４】
図２及び図３に戻り、出力部１３は、算出部１２が算出したテンポを出力する。出力部１３は、ディスプレイ、プリンター、メーラ、投影装置等のあらゆる出力装置を介して、上記テンポの出力を実現することができる。
【００８５】
図９に、出力部１３が出力する情報の一例を示す。図示する例では、縦軸にテンポを取り、横軸に時間を取ったグラフで、映像コンテンツのテンポ（上述したテンポＴ１ｍ乃至Ｔ７ｍの中のいずれか）の時間変化を示している。
【００８６】
図１０に、出力部１３が出力する情報の他の一例を示す。図示する例では、エリア１３１に表示される情報と、エリア１３２に表示される情報とに分かれている。
【００８７】
エリア１３１には、エリア１３２における表示に関する各種設定を受付けるための情報が表示されている。なお、図では、設定された値の記載は省略している。
【００８８】
エリア１３２には、縦軸にテンポを取り、横軸に時間を取ったグラフで、上述したテンポＴ１ｍ乃至Ｔ７ｍの中のいずれか２つ以上（図示する例では３つ）の時間変化を示している。図示する映像に対応するテンポは、上記テンポＴ５ｍに対応する。図示する音声に対応するテンポは、上記テンポＴ６ｍに対応する。図示する圧縮レートに対応するテンポは、上記テンポＴ７ｍに対応する。
【００８９】
エリア１３１に表示される「時間間隔」は、上述した「単位時間」を示す。エリア１３１の当該欄に所望の時間間隔を入力することで、上記単位時間を所望の値にすることができる。エリア１３２に表示されるテンポは、ここで指定された単位時間毎の時間変化を示す。
【００９０】
エリア１３１に表示される「映像パラメータ」は、テンポＴ５ｍを算出するための係数を指定する欄である。ここでは、Ｔ５ｍは、Ｔ５ｍ＝β３・Ｔ１ｍ＋β４・Ｔ２ｍ＋β５・Ｔ３ｍに基づき算出される。
【００９１】
エリア１３１に表示される「基準値」は、エリア１３２に表示されるグラフの縦軸の真ん中（基準）の値を示す。テンポ毎に指定することができる。エリア１３１に表示される「縮尺」は、エリア１３２に表示されるグラフの縦方向の縮尺を示す。これも、テンポ毎に指定することができる。
【００９２】
図１１に、出力部１３が出力する情報の他の一例を示す。図示する例では、エリア１３３に表示される情報と、エリア１３４に表示される情報とに分かれている。
【００９３】
エリア１３３には、エリア１３４における表示に関する各種設定を受付けるための情報が表示されている。
【００９４】
エリア１３４には、縦軸にテンポを取り、横軸に時間を取ったグラフで、上述したテンポＴ８ｍの時間変化を示している。
【００９５】
エリア１３３に表示される「重み付け」は、テンポＴ８ｍを算出するための係数を指定する欄である。ここでは、Ｔ８ｍは、Ｔ８ｍ＝γ１・Ｔ５ｍ＋γ２・Ｔ６ｍ＋γ３・Ｔ７ｍに基づき算出される。映像の重み付け値がγ１であり、音声の重み付け値がγ２であり、圧縮レートの重み付け値がγ３である。
【００９６】
図１２に、出力部１３が出力する情報の他の一例を示す。図示する例では、出力部１３は、縦軸にテンポを取り、横軸に時刻を取ったグラフで、複数の放送チャンネル各々で放送された映像コンテンツのテンポの時間変化を並べて表示している。また、各映像コンテンツの属性情報（番組名、属性）を表示している。
【００９７】
図１３に、出力部１３が出力する情報の他の一例を示す。図示する例では、出力部１３は、ある放送チャンネルで放送された映像コンテンツのテンポの時間変化と、映像コンテンツの視聴率の時間変化とを並べて表示している。図中上側は、縦軸にテンポを取り、横軸に時刻を取ったグラフで、ある放送チャンネルで放送された映像コンテンツのテンポの時間変化を表示している。図中下側は、縦軸に視聴率を取り、横軸に時刻を取ったグラフで、ある放送チャンネルで放送された映像コンテンツの視聴率の時間変化を表示している。
【００９８】
なお、出力部１３は、図９乃至図１３に示すようなテンポの時間変化を示すグラフにおいて、テンポの変化が所定レベルより大きい部分（傾きの絶対値が所定値以上）を強調表示してもよい。例えば、算出部１２が強調する部分を算出する。そして、出力部１３は算出部１２の算出結果に基づき、所定部分を強調表示する。
【００９９】
また、図１３の例の場合、出力部１３は、視聴率の変化が所定レベルより大きい部分（傾きの絶対値が所定値以上）をさらに強調表示してもよい。例えば、算出部１２が強調する部分を算出する。そして、出力部１３は算出部１２の算出結果に基づき、所定部分を強調表示する。
【０１００】
また、受付部１４は、図９乃至図１３に示すようなテンポの時間変化を示すグラフ上で、所定位置を指定する入力を受付けてもよい。そして、出力部１３は、指定された位置から映像コンテンツを再生してもよい。
【０１０１】
次に、図１４のフローチャートを用いて解析装置１０の処理の流れの一例を説明する。
【０１０２】
取得工程Ｓ１１では、取得部１１が、映像コンテンツのデータを取得する。算出工程Ｓ１２では、算出部１２が、データに含まれる動画データ及び音声データの少なくとも一方に基づき、映像コンテンツのテンポを算出する。出力工程Ｓ１３では、出力部１３が、算出工程Ｓ１２で算出されたテンポを出力する。
【０１０３】
次に、本実施形態の解析装置１０の作用効果について説明する。
【０１０４】
本実施形態の解析装置１０によれば、映像コンテンツのテンポを算出し、出力することができる。このような本実施形態の解析装置１０によれば、映像コンテンツの質を定量的に示す新たな指標として、映像コンテンツのテンポを提供することができる。
【０１０５】
また、本実施形態の解析装置１０によれば、シーンチェンジの頻度、パーンの頻度、パーンの速さ、ズーム倍率変更の頻度、ズーム倍率変更の速さ、発せられた音の数、ＶＢＲ方式で圧縮されている動画データのビットレート等に基づき、映像コンテンツのテンポを算出することができる。このような本実施形態の解析装置１０によれば、信頼度の高い映像コンテンツのテンポを算出することができる。
【０１０６】
また、本実施形態の解析装置１０によれば、映像の解析結果（シーンチェンジの頻度、パーンの頻度、パーンの速さ、ズーム倍率変更の頻度、ズーム倍率変更の速さ、ＶＢＲ方式で圧縮されている動画データのビットレート等）、及び、音声の解析結果（発せられた音の数）の両方に基づき、映像コンテンツのテンポを算出することができる。このように、様々な側面からテンポを算出する本実施形態の解析装置１０によれば、信頼度の高い映像コンテンツのテンポを算出することができる。
【０１０７】
また、本実施形態の解析装置１０によれば、シーンチェンジの頻度、パーンの頻度、パーンの速さ、ズーム倍率変更の頻度、ズーム倍率変更の速さ、発せられた音の数、ＶＢＲ方式で圧縮されている動画データのビットレートの中の複数のパラメータに基づき、映像コンテンツのテンポを算出することができる。そして、複数のパラメータ各々の重み付け値を、映像コンテンツの属性に応じて決定することができる。
【０１０８】
例えば、アクションが中心の映像コンテンツの場合、発話された音が少なくても、パーンの頻度が多かったり、パーンの速さが速かったり、ズーム倍率変更の頻度が多かったり、また、ズーム倍率変更の速さが速かったりすると、視聴者はテンポが速いと感じる。このような映像コンテンツのテンポを算出する場合、発せられた音の数の重みは小さくし、映像に特化したパラメータの重みを大きくすることが好ましい。
【０１０９】
一方で、トークが中心の映像コンテンツの場合、映像コンテンツのテンポを算出する上で発話された音の数は重要である。このため、発せられた音の数の重みは大きくすることが好ましい。
【０１１０】
このように、映像コンテンツの属性に応じて、好ましい算出方法が異なる。本実施形態の解析装置１０によれば、複数のパラメータ各々の重み付け値を、映像コンテンツの属性に応じて決定することができるので、各映像コンテンツに適した算出方法で、テンポを算出することができる。結果、得られるテンポの信頼度が高くなる。
【０１１１】
また、本実施形態の解析装置１０によれば、複数の放送チャンネル各々で放送された映像コンテンツのテンポの時間変化を並べて表示することができる。このため、複数の放送チャンネル間におけるテンポの違いが一目瞭然となる。
【０１１２】
また、本実施形態の解析装置１０によれば、ある放送チャンネルで放送された映像コンテンツのテンポの時間変化と、映像コンテンツの視聴率の時間変化とを並べて表示することができる。これらを並行して視認することで、テンポの変化が視聴率に及ぼす影響を確認することができる。
【０１１３】
以下、参考形態の例を付記する。
（付記１）
映像コンテンツのデータを取得する取得手段と、
前記データに含まれる動画データ及び音声データの少なくとも一方に基づき、前記映像コンテンツのテンポを算出する算出手段と、
前記算出手段が算出した前記テンポを出力する出力手段と、
を有する解析装置。
（付記２）
付記１に記載の解析装置において、
前記算出手段は、前記映像コンテンツを単位時間帯毎の複数のグループに分割し、前記グループ毎に前記テンポを算出することで、前記映像コンテンツの前記テンポの時間変化を算出する解析装置。
（付記３）
付記２に記載の解析装置において、
前記単位時間を変更する入力を受付ける受付手段をさらに有する解析装置。
（付記４）
付記１から３のいずれか１つに記載の解析装置において、
前記算出手段は、シーンチェンジの回数に基づき、前記テンポを算出する解析装置。
（付記５）
付記４に記載の解析装置において、
前記算出手段は、シーンチェンジの回数が多い程、速い前記テンポを算出する解析装置。
（付記６）
付記１から５のいずれか１つに記載の解析装置において、
前記算出手段は、パーンの回数及び／又は速さに基づき、前記テンポを算出する解析装置。
（付記７）
付記６に記載の解析装置において、
前記算出手段は、パーンの速さが速い程、速い前記テンポを算出する解析装置。
（付記８）
付記６又は７に記載の解析装置において、
前記算出手段は、パーンの回数が多い程、速い前記テンポを算出する解析装置。
（付記９）
付記１から８のいずれか１つに記載の解析装置において、
前記算出手段は、ズーム倍率変更の回数及び／又は速さに基づき、前記テンポを算出する解析装置。
（付記１０）
付記９に記載の解析装置において、
前記算出手段は、ズーム倍率変更の速さが速い程、速い前記テンポを算出する解析装置。
（付記１１）
付記９又は１０に記載の解析装置において、
前記算出手段は、ズーム倍率変更の回数が多い程、速い前記テンポを算出する解析装置。
（付記１２）
付記１から１１のいずれか１つに記載の解析装置において、
前記算出手段は、発話された音の数に基づき、前記テンポを算出する解析装置。
（付記１３）
付記１２に記載の解析装置において、
前記算出手段は、発話された音が多い程、速い前記テンポを算出する解析装置。
（付記１４）
付記１から１３のいずれか１つに記載の解析装置において、
前記動画データは、ＶＢＲ（variable bit rate）方式で圧縮されており、
前記算出手段は、ビットレートに基づき、前記テンポを算出する解析装置。
（付記１５）
付記１４に記載の解析装置において、
前記算出手段は、前記ビットレートの統計値が大きい程、速い前記テンポを算出する解析装置。
（付記１６）
付記１から１５のいずれか１つに記載の解析装置において、
前記算出手段は、複数のパラメータ各々に基づき算出した前記テンポを統合して、前記テンポを算出し、
前記パラメータ各々には重み付け値が設定されており、
前記算出手段は、前記重み付け値を用いて、複数の前記パラメータ各々に基づき算出した前記テンポを統合する解析装置。
（付記１７）
付記１６に記載の解析装置において、
前記パラメータ各々の重み付け値は、前記映像コンテンツの属性に応じて異なり、
前記算出手段は、前記映像コンテンツの属性に応じた前記重み付け値を用いて、複数のパラメータ各々に基づき算出した前記テンポを統合する解析装置。
（付記１８）
付記１７に記載の解析装置において、
前記映像コンテンツの属性は、ジャンル及び放送時間帯の少なくとも一方を含む解析装置。
（付記１９）
付記１から１８のいずれか１つに記載の解析装置において、
前記出力手段は、複数の放送チャンネル各々で放送された前記映像コンテンツの前記テンポの時間変化を並べて表示する解析装置。
（付記２０）
付記１から１９のいずれか１つに記載の解析装置において、
前記出力手段は、ある放送チャンネルで放送された前記映像コンテンツの前記テンポの時間変化と、前記映像コンテンツの視聴率の時間変化とを並べて表示する解析装置。
（付記２１）
コンピュータが、
映像コンテンツのデータを取得する取得工程と、
前記データに含まれる動画データ及び音声データの少なくとも一方に基づき、前記映像コンテンツのテンポを算出する算出工程と、
前記算出工程で算出された前記テンポを出力する出力工程と、
を実行する解析方法。
（付記２２）
付記２１に記載の解析方法において、
前記コンピュータは、前記映像コンテンツを単位時間帯毎の複数のグループに分割し、前記グループ毎に前記テンポを算出することで、前記映像コンテンツの前記テンポの時間変化を算出する解析方法。
（付記２３）
付記２２に記載の解析方法において、
前記コンピュータは、前記単位時間を変更する入力を受付ける解析方法。
（付記２４）
付記２１か２ら２３のいずれか１つに記載の解析方法において、
前記コンピュータは、シーンチェンジの回数に基づき、前記テンポを算出する解析方法。
（付記２５）
付記２４に記載の解析方法において、
前記コンピュータは、シーンチェンジの回数が多い程、速い前記テンポを算出する解析方法。
（付記２６）
付記２１から２５のいずれか１つに記載の解析方法において、
前記コンピュータは、パーンの回数及び／又は速さに基づき、前記テンポを算出する解析方法。
（付記２７）
付記２６に記載の解析方法において、
前記コンピュータは、パーンの速さが速い程、速い前記テンポを算出する解析方法。
（付記２８）
付記２６又は２７に記載の解析方法において、
前記コンピュータは、パーンの回数が多い程、速い前記テンポを算出する解析方法。
（付記２９）
付記２１から２８のいずれか１つに記載の解析方法において、
前記コンピュータは、ズーム倍率変更の回数及び／又は速さに基づき、前記テンポを算出する解析方法。
（付記３０）
付記２９に記載の解析方法において、
前記コンピュータは、ズーム倍率変更の速さが速い程、速い前記テンポを算出する解析方法。
（付記３１）
付記２９又は３０に記載の解析方法において、
前記コンピュータは、ズーム倍率変更の回数が多い程、速い前記テンポを算出する解析方法。
（付記３２）
付記２１から３１のいずれか１つに記載の解析方法において、
前記コンピュータは、発話された音の数に基づき、前記テンポを算出する解析方法。
（付記３３）
付記３２に記載の解析方法において、
前記算出手段は、発話された音が多い程、速い前記テンポを算出する解析方法。
（付記３４）
付記２１から３３のいずれか１つに記載の解析方法において、
前記動画データは、ＶＢＲ（variable bit rate）方式で圧縮されており、
前記コンピュータは、ビットレートに基づき、前記テンポを算出する解析方法。
（付記３５）
付記３４に記載の解析方法において、
前記コンピュータは、前記ビットレートの統計値が大きい程、速い前記テンポを算出する解析方法。
（付記３６）
付記２１から３５のいずれか１つに記載の解析方法において、
前記コンピュータは、複数のパラメータ各々に基づき算出した前記テンポを統合して、前記テンポを算出し、
前記パラメータ各々には重み付け値が設定されており、
前記コンピュータは、前記重み付け値を用いて、複数の前記パラメータ各々に基づき算出した前記テンポを統合する解析方法。
（付記３７）
付記３６に記載の解析方法において、
前記パラメータ各々の重み付け値は、前記映像コンテンツの属性に応じて異なり、
前記コンピュータは、前記映像コンテンツの属性に応じた前記重み付け値を用いて、複数のパラメータ各々に基づき算出した前記テンポを統合する解析方法。
（付記３８）
付記３７に記載の解析方法において、
前記映像コンテンツの属性は、ジャンル及び放送時間帯の少なくとも一方を含む解析方法。
（付記３９）
付記２１から３８のいずれか１つに記載の解析方法において、
前記コンピュータは、複数の放送チャンネル各々で放送された前記映像コンテンツの前記テンポの時間変化を並べて表示手段に表示させる解析方法。
（付記４０）
付記２１から３９のいずれか１つに記載の解析方法において、
前記コンピュータは、ある放送チャンネルで放送された前記映像コンテンツの前記テンポの時間変化と、前記映像コンテンツの視聴率の時間変化とを並べて表示手段に表示させる解析方法。
（付記４１）
コンピュータを、
映像コンテンツのデータを取得する取得手段、
前記データに含まれる動画データ及び音声データの少なくとも一方に基づき、前記映像コンテンツのテンポを算出する算出手段、
前記算出手段が算出した前記テンポを出力する出力手段、
として機能させるプログラム。
（付記４２）
付記４１に記載のプログラムにおいて、
前記算出手段は、前記映像コンテンツを単位時間帯毎の複数のグループに分割し、前記グループ毎に前記テンポを算出することで、前記映像コンテンツの前記テンポの時間変化を算出するプログラム。
（付記４３）
付記４２に記載のプログラムにおいて、
前記コンピュータを、さらに、前記単位時間を変更する入力を受付ける受付手段として機能させるプログラム。
（付記４４）
付記４１から４３のいずれか１つに記載のプログラムにおいて、
前記算出手段は、シーンチェンジの回数に基づき、前記テンポを算出するプログラム。
（付記４５）
付記４４に記載のプログラムにおいて、
前記算出手段は、シーンチェンジの回数が多い程、速い前記テンポを算出するプログラム。
（付記４６）
付記４１から４５のいずれか１つに記載のプログラムにおいて、
前記算出手段は、パーンの回数及び／又は速さに基づき、前記テンポを算出するプログラム。
（付記４７）
付記４６に記載のプログラムにおいて、
前記算出手段は、パーンの速さが速い程、速い前記テンポを算出するプログラム。
（付記４８）
付記４６又は４７に記載のプログラムにおいて、
前記算出手段は、パーンの回数が多い程、速い前記テンポを算出するプログラム。
（付記４９）
付記４１から４８のいずれか１つに記載のプログラムにおいて、
前記算出手段は、ズーム倍率変更の回数及び／又は速さに基づき、前記テンポを算出するプログラム。
（付記５０）
付記４９に記載のプログラムにおいて、
前記算出手段は、ズーム倍率変更の速さが速い程、速い前記テンポを算出するプログラム。
（付記５１）
付記４９又は５０に記載のプログラムにおいて、
前記算出手段は、ズーム倍率変更の回数が多い程、速い前記テンポを算出するプログラム。
（付記５２）
付記４１から５１のいずれか１つに記載のプログラムにおいて、
前記算出手段は、発話された音の数に基づき、前記テンポを算出するプログラム。
（付記５３）
付記５２に記載のプログラムにおいて、
前記算出手段は、発話された音が多い程、速い前記テンポを算出するプログラム。
（付記５４）
付記４１から５３のいずれか１つに記載のプログラムにおいて、
前記動画データは、ＶＢＲ（variable bit rate）方式で圧縮されており、
前記算出手段は、ビットレートに基づき、前記テンポを算出するプログラム。
（付記５５）
付記５４に記載のプログラムにおいて、
前記算出手段は、前記ビットレートの統計値が大きい程、速い前記テンポを算出するプログラム。
（付記５６）
付記４１から５５のいずれか１つに記載のプログラムにおいて、
前記算出手段は、複数のパラメータ各々に基づき算出した前記テンポを統合して、前記テンポを算出し、
前記パラメータ各々には重み付け値が設定されており、
前記算出手段は、前記重み付け値を用いて、複数の前記パラメータ各々に基づき算出した前記テンポを統合するプログラム。
（付記５７）
付記５６に記載のプログラムにおいて、
前記パラメータ各々の重み付け値は、前記映像コンテンツの属性に応じて異なり、
前記算出手段は、前記映像コンテンツの属性に応じた前記重み付け値を用いて、複数のパラメータ各々に基づき算出した前記テンポを統合するプログラム。
（付記５８）
付記５７に記載のプログラムにおいて、
前記映像コンテンツの属性は、ジャンル及び放送時間帯の少なくとも一方を含むプログラム。
（付記５９）
付記４１から５８のいずれか１つに記載のプログラムにおいて、
前記出力手段は、複数の放送チャンネル各々で放送された前記映像コンテンツの前記テンポの時間変化を並べて表示するプログラム。
（付記６０）
付記４１から５９のいずれか１つに記載のプログラムにおいて、
前記出力手段は、ある放送チャンネルで放送された前記映像コンテンツの前記テンポの時間変化と、前記映像コンテンツの視聴率の時間変化とを並べて表示するプログラム。
【符号の説明】
【０１１４】
１Ａ    プロセッサ
２Ａ    メモリ
３Ａ    入出力Ｉ／Ｆ
４Ａ    周辺回路
５Ａ    バス
１０    解析装置
１１    取得部
１２    算出部
１３    出力部
１４    受付部
１３１  エリア
１３２  エリア
１３３  エリア
１３４  エリア
【図１】
2018028797.tif 000003
【図２】
2018028797.tif 000004
【図３】
2018028797.tif 000005
【図４】
2018028797.tif 000006
【図５】
2018028797.tif 000007
【図６】
2018028797.tif 000008
【図７】
2018028797.tif 000009
【図８】
2018028797.tif 000010
【図９】
2018028797.tif 000011
【図１０】
2018028797.tif 000012
【図１１】
2018028797.tif 000013
【図１２】
2018028797.tif 000014
【図１３】
2018028797.tif 000015
【図１４】
2018028797.tif 000016